(57)【特許請求の範囲】
【請求項１】
剛性芯を備えているシートであって、前記剛性芯は前記シートの横の寸法に沿った中間位置からの接続支持ビームに移行する、シートと、
前記シートの前記接続支持ビームに連結された胴部支持体と、
前記シートおよび／または前記胴部支持体に連結されたコネクタであって、負荷支持面に対して患者の体重を少なくとも部分的に支持するようになっている付属品に取外し可能に接続されている、コネクタと、
を備えている装置において、
前記シートを前記患者の前部から前記患者の太腿および／または臀部の少なくとも１つの下に配置し、前記患者の少なくとも１つの太腿で前記患者が前記接続支持ビームに跨がり、前記患者の前部を前記胴部支持体および前記付属品に連結されたコネクタの方に向けて、前記患者を前記シート上に配置させることによって、介護者による開始箇所から目標箇所への前記患者の移乗のためにおよび該移乗の最中に、前記介護者による前記患者の上体の制御が可能になり、前記剛性芯および前記接続支持ビームは、前記装置上の前記患者の負荷による前記シートの屈曲の回避を助長し、前記装置の傾動によって、前記患者の臀部を直接持ち上げることを特徴とする装置。
【請求項２】
前記胴部支持体は、前記患者の１つまたは複数の側部および／または前記患者の前部の近くに配置可能になっている１つまたは複数のハンドルを備えており、前記ハンドルは、前記介護者による前記患者の移乗のための前記患者の上体の制御を助長するようになっていることを特徴とする、請求項１に記載の装置。
【請求項３】
前記胴部支持体に取外し可能に接続されるようになっている背部支持体であって、前記胴部支持体は、前記患者の前方に配置可能になっており、前記背部支持体は、前記患者の後方に配置可能になっている、背部支持体
をさらに備えており、
前記胴部支持体および前記背部支持体は、前記介護者による前記患者の移乗のために協調的に使用可能になっていることを特徴とする、請求項１に記載の装置。
【請求項４】
前記胴部支持体は、前記介護者による前記患者の移乗中に前記患者の快適性を助長するようになっている比較的軟質のパッドを備えていることを特徴とする、請求項１に記載の装置。
【請求項５】
前記シートは、前記シートの周辺部分の周りに比較的軟質の縁部を備えており、前記縁部は、前記介護者による前記患者の移乗中に前記患者の快適さを助長するようになっていることを特徴とする、請求項１に記載の装置。
【請求項６】
前記シートは、１つまたは複数のローラを備えており、前記ローラは、前記介護者による前記患者の移乗の容易さを促進することを目的として、前記患者の１つまたは複数の脚の下に前記シートを挿入するために使用可能になっていることを特徴とする、請求項１に記載の装置。
【請求項７】
前記シートは、再使用可能または廃棄可能になっているシートカバーを備えていることを特徴とする、請求項１に記載の装置。
【請求項８】
前記シートは、前記胴部支持体に取外し可能に接続されるようになっていることを特徴とする、請求項１に記載の装置。
【請求項９】
前記シートは、複数の利用可能なシート形状の内の任意に選択された１つを備えていることを特徴とする、請求項８に記載の装置。
【請求項１０】
前記コネクタは、第１のコネクタを構成しており、前記付属品は、
複数のキャスタであって、前記患者が前記シートに配置されたときに、前記介護者による前記患者の回転支持および移乗を行うように、前記介護者によって使用可能になっている、複数のキャスタと、
複数の利用可能な高さの内の任意の選択高さにおいて前記第１のコネクタに取外し可能に接続されるようになっている第２のコネクタと、
前記介護者による移乗のためにおよび該移乗中に前記患者の１つまたは複数の脚を支持するように使用可能になっているプラットフォームと、
傾動支持体であって、
前記患者の移送位置に対する開始箇所における前記患者の着座位置であって、前記患者の前記移送位置は、その位置に達すると同時に、前記患者の体重が負荷支持面としての床に対して前記複数のキャスタによって実質的に十分に支持されるような位置である、着座位置と、
前記患者の前記移送位置および目標位置と
の間で移動するように前記介護者によって使用可能になっている、傾動支持体と、
を備えていることを特徴とする、請求項１に記載の装置。
【請求項１１】
前記コネクタは、第１のコネクタを構成しており、前記付属品は、
複数の利用可能な高さの内の任意の選択高さにおいて前記第１のコネクタに取外し可能に接続されるようになっている第２のコネクタと、
前記介護者の膝に係合するように形作られており、前記介護者の前記膝を用いて前記患者の前記開始位置から前記目標位置への移乗を補助することを可能とする膝パッドであって、負荷支持面としての前記介護者の膝に対して前記患者の体重を少なくとも部分的に支持するようになっている、膝パッドと、
を備えていることを特徴とする、請求項１に記載の装置。
【請求項１２】
前記コネクタは、第１のコネクタを構成しており、前記付属品は、
複数の利用可能な高さの内の任意の選択高さにおいて前記第１のコネクタに取外し可能に接続されるようになっている第２のコネクタと、
前記第２のコネクタに連結された中間支持体と、
前記中間支持体に連結された基部と、
前記中間支持体に連結された留め具であって、ベッドフレームに取外し可能に係合されるようになっている、留め具と、
を備えており、
前記付属品によって、前記患者は、前記開始位置または前記目標位置としてのベッドの縁に着座位置を占めることが可能になっていることを特徴とする、請求項１に記載の装置。
【請求項１３】
前記コネクタは、第１のコネクタから構成されており、前記付属品は、
負荷支持面としての床上に操作可能に配置されるようになっている回転ディスクと、
複数の利用可能な高さの内の任意の選択高さにおいて前記第１のコネクタに取外し可能に接続されるようになっている第２のコネクタと、
前記回転ディスクによって支持されることになる前記患者の移送位置に前記患者を移動させるようにまたは該移送位置から前記患者を移動させるように、前記介護者によって利用可能になっている傾動支持体であって、前記患者の前記移送位置は、その位置に達すると同時に、前記回転ディスクによって、前記患者の体重が前記負荷支持面に対して実質的に十分に支持されるような位置である、傾動支持体と、
を備えていることを特徴とする、請求項１に記載の装置。
【請求項１４】
前記傾動支持体は、前記介護者による操作中に前記介護者によって前記負荷支持面と選択的に連係可能になっている車を備えており、
前記回転ディスクは、前記患者の方位を変化させるための前記患者の比較的低摩擦の回転を助長するために、前記患者が前記移送位置に配置されるのと同時に前記介護者によって使用可能になっていることを特徴とする、請求項１３に記載の装置。
【請求項１５】
前記コネクタは、第１のコネクタを構成しており、前記付属品は、
複数の利用可能な高さの内の任意の選択高さにおいて前記第１のコネクタに取外し可能に接続されるようになっている第２のコネクタと、
前記第２のコネクタに連結された中間支持体と、
前記中間支持体に連結された揺動基部であって、前記介護者によって操作されたとき、負荷支持面としての床に対して前記患者の体重を少なくとも部分的に支持するようになっており、前記揺動基部は、
前記患者の移乗を目的として前記患者を開始箇所における着座位置から目標箇所に移動させるための前記シートおよび／または胴部支持体とともに前記付属品の使用を助長するために、前記床上において揺動可能になっている湾曲面と、
前記床上において比較的低摩擦の回転をもたらすために前記湾曲面に取り付けられた回転ディスクであって、前記患者の元の方位を前記開始箇所から変化させて前記目標箇所に向かう移送方位に揺動させるように、前記介護者によって操作されるようになっている、回転ディスクと、
を備えている揺動基部と、
を備えていることを特徴とする、請求項１に記載の装置。
【発明の詳細な説明】
【背景技術】
【０００１】
人は、例えば、損傷、疾患、または老化現象に起因する身体障害のために、その体を１つの場所から他の場所に移すのに補助を必要とすることがある。一人または複数の介護者が一人の身体障害者の移乗を手で行う場合、これらの介護者が、比較的高い率で損傷を受ける可能性がある。介護者が受けるこのような損傷が、介護者不足の一因になっている。
【０００２】
患者を移乗させるときの介護者の損傷率を低減させるために、患者の体重の全てを支持する機械的リフトが用いられてきている。流体圧装置、電気装置、または機械的装置によって昇降するアームおよびスリング（つり具）状部材を有する機械的リフトは、通常、大型なものである。機械的リフトは、介護者による使用に対する問題、例えば、比較的長い準備時間および作業時間、比較的大きい寸法、比較的困難な保管、および材料資源の消費などによる比較的高い製造コストの問題を有している。機械的リフト技術の使用に対するこのような問題から、介護者は、むしろ、患者の移乗を手で行うことが多い。しかし、手動移乗は、介護者の誰にも比較的高い率で筋骨格損傷をもたらす一因となるので、望ましくない。
【０００３】
種々の理由、例えば、損傷、疾患、または老化現象に起因する身体障害によって体の一部または全ての制御を失っている患者を移動させることは、難しい課題である。患者移乗を行う上での効率を促進させることによって、例えば、病院および長期ケア施設における稼働コストを低減させることが、望まれている。手動移乗は、通常、患者移乗の最も迅速な形態である。患者が中程度の体重、例えば、略２５０ポンド以下、すなわち、１１３ｋｇ以下の体重を有している場合、介護者は、機械的機器を用いるよりも手動移乗の便利さを選ぶ可能性がある。２人または３人の介護者が手動移乗を手伝う場合でさえ、移乗時間は、通常、機械的リフト機器を用いる場合におけるよりも短くなる。移乗の速さは、介護者が時間を節約するために損傷を受ける危険を冒す理由である。
【発明の概要】
【発明が解決しようとする課題】
【０００４】
繰り返し行われる手動移乗は、筋骨格負傷を患う可能性のある介護者に犠牲を強いることになる。多くの状況において、機械的リフト機器が利用可能である。この機械的リフト機器は、患者の体重の全てを支持するのに用いられるようになっており、ギア付きクランク、電気アクチュエータ、または電気−油圧システムによって動力が供給されるようになっている。この機器は、患者移乗中に患者の体重の全てを支持するために、用いられてきている。患者がその脚で体重を支持することができない場合、移乗前に、スリングが患者の下に配置されるようになっている。スリングが適所に配置されると、機械的リフトが接続され、患者を開始の着座箇所または横臥箇所から持ち上げ、患者を移動させることになる。スリングの使用における課題として、患者の下へのスリングの配置およびその後のスリングの取外しが困難であることが挙げられる。スリングの使用は、不必要に一連の作業を長引かせ、その結果、移乗が２０分以上掛かることがある。このように移乗時間が長引くと、介護者の仕事を遅らせることになるので、介護者は、機械的リフト機器の使用をためらうことになる。仕事に対して過剰な時間を消費することは、病院および長期ケア施設では望ましくない。スリングの使用におけるさらなる課題として、吊り下げられている感覚についての患者の不満が生じること、患者が品位を落とすと感じること、スリングがリフト操作中に患者の周囲を滑っている間に床ずれが裂ける可能性があること、もし間違ったスリングループが機械的リフトに接続されていると、機能不全が生じる可能性があること、大型機器を保管するのに利用可能な場所が不足していること、および機器による材料資源の消費によって、コストが高くなること、が挙げられる。他の例として、在宅環境では、保管場所および取扱い場所がさらに制限され、これによって、大型の機械的リフト機器の使用についてのさらに他の課題が生じる可能性がある。
【課題を解決するための手段】
【０００５】
介護者の背中へのストレスの低減を促進しながら、患者をベッドから車椅子に移乗させ、かつ車椅子からベッドに再び移乗させるために、例示的な一実施形態を使用することができる。例示的な一実施形態では、介護者は、例えば、２５から３０ポンド（２５〜３０ポンド）、すなわち、１１から１４ｋｇ（１１〜１４ｋｇ）の範囲内にある比較的低重量の支持構造を選択することが可能である。例示的な一実施形態では、介護者は、例えば、略１８インチ（すなわち、４６ｃｍ）の幅×２０インチ（すなわち、５１ｃｍ）の長さの範囲内にある比較的中程度の寸法の支持構造を選択することが可能である。例示的な一実施形態は、例えば、１から２分（１〜２分）の範囲内にある比較的短時間で使用されることが可能である。例示的な一実施形態は、材料資源の消費、稼働コスト、および保管場所および取扱い場所の低減を促進し、介護者が、例えば、病院、長期リハビリ施設または在宅における患者の移乗を行うことを可能とするものである。
【０００６】
本発明の例示的な実施形態の特徴は、以下の説明、特許請求の範囲、および添付の図面から明らかになるだろう。
【図面の簡単な説明】
【０００７】
【図１】図１１および図１２におけるように介護者による患者の移乗を目的とする患者の上体の制御のために患者と連係するシート、胴部支持体、およびコネクタを備えている装置の実施形態の後側方斜視図であって、シートの剛性芯を説明するためにシートを一部破断して示す図である。
【図２】複数のローラを有するシートを示すもので、図１の装置のシートおよびコネクタの実施形態の拡大部分上側方斜視図である。
【図３】シートの周辺部分の周りに比較的軟質の縁部を有するシートを示すもので、図１の装置のシートおよびコネクタの実施形態の一部を破断して示す拡大端側方斜視図である。
【図４】再使用可能または廃棄可能になっているカバーを有するシートを示すもので、図１の装置のシートおよびコネクタの実施形態の一部を破断して示す拡大上後方斜視図である。
【図５】複数の利用可能なシート構成の中からシートの取換または互換を行うために取外し可能な取付け関係にあるシートおよび胴部支持体を示すもので、図１の装置の実施形態の底側方斜視図である。
【図６】シート、胴部支持体、コネクタ、および付属具（例えば、患者の重量を支持し、患者を複数の利用可能な方向の内の任意の選択方向において床に沿って移動させるように、介護者によって使用可能なキャリッジ）を有する装置を示すもので、図１の装置の実施形態の後側方斜視図である。
【図７】シート、胴部支持体、コネクタ、および付属品（例えば、介護者の膝に係合するように形作られており、介護者がその膝を用いて患者の移乗を補助することを可能とする膝パッドの付いた付属品）を有する装置を示すもので、図１の装置の実施形態の後側方斜視図である。
【図８】シート、胴部支持体、コネクタ、および付属品（例えば、患者がベッドの縁の着座位置に維持されることを可能とするベッドサイド取付け具の付いた付属品）を有する装置を示すもので、図１の装置の実施形態の後上方斜視図である。
【図９】シート、胴部支持体、コネクタ、および付属品（例えば、移乗中に患者の体重を支持するように介護者によって操作可能になっている揺動支持体が付いた付属品）を有する装置を示すもので、図１の装置の実施形態の後側方斜視図である。
【図１０】患者にぴったりと装着されたシートおよび胴部支持体を示すもので、図１の装置の実施形態の側方斜視図である。
【図１１】開始箇所における着座位置にある患者および患者にぴったりと装着されたシートおよび胴部支持体、ならびに患者に接近している介護者を示すもので、図９の装置の実施形態の側方斜視図である。
【図１２】患者を半径方向移乗距離内において開始箇所から目標箇所に移乗させるように介護者によって操作された揺動基部を示すもので、図１１と同様の図である。
【図１３】患者にぴったりと装着されたシートおよび胴部支持体、ならびに開始位置から移動した患者を示すもので、図６の装置の実施形態の図である。
【図１４】胴部支持体の他の実施形態を示すもので、図１の装置の実施形態の図である。
【図１５】シート、胴部支持体、コネクタ、および（介護者によって操作されたとき、半径方向移乗距離内における移乗中に患者の体重を支持するようになっている傾動車が付けられた）付属品を有する装置を示す、図１の装置の実施形態の前側方斜視図である。
【図１６】ロックを示すもので、図６の装置のコネクタの実施形態の一部が破断した拡大後側方斜視図である。
【図１７】図１の装置の実施形態の例示的な操作の流れを示す図である。
【発明を実施するための形態】
【０００８】
図１を参照すると、装置１００の実施形態は、シート１０２、胴部支持体１０４、およびコネクタ１０６を備えている。シート１０２および胴部支持体１０４は、一例として、介護者１１００（図１１）による移乗を目的として患者１３０４の上体１３１０（図１３）の制御を行うために、患者１３０４（図１３）と連係するようになっている。図１０〜図１３を参照すると、シート１０２は、一例として、例えば、患者１３０４が自然に座っている位置における１つまたは複数の支持領域において、患者１３０４の太腿および／または臀部の一部を受けるようになっている。胴部支持体１０４は、一例として、例えば、患者１３０４の骨盤の上側領域、腹部を覆う領域、および胸部に至る領域のような患者１３０４の中間領域の前部１３０８（図１３）および両側において、患者１３０４の胴体に当接し、および／または該胴体を部分的に包囲するようになっている。介護者１１００は、一例として、患者１３０４を支援する者である。患者１３０４は、一例として、種々の理由、例えば、損傷、疾患、または老化現象に起因する患者１３０４の身体障害によって、患者の体の一部または全ての制御を失っている身体障害者および／または衰弱者である。
【０００９】
図１を参照すると、シート１０２は、一例として、剛性芯１０８を備えている。剛性芯１０８は、介護者１１００による移乗中に患者１３０４を支持するためのシート１０２の形状の構造完全性を助長するのに役立つものである。剛性芯１０８は、一例として、１つまたは複数の鋼、アルミニウム、複合材料、ナイロン、ガラス充填物、繊維、および／またはエポキシ素地を含んでいる。剛性芯１０８は、一例として、切断後に溶接された鋼板および鋼管から構成されている。剛性芯１０８は、一例として、アルミニウムのような軽金属、またはガラス充填物を含むナイロンまたはエポキシ素地に充填された繊維のような成形された複合材料から構成されている。
【００１０】
胴部支持体１０４は、シート１０２に連結されている。胴部支持体１０４は、１つまたは複数のハンドル１１０を備えている。これらのハンドル１１０は、患者１３０４の１つまたは複数の側部の近くおよび／または患者１３０４の前部１３０８の近くに配置可能になっており、介護者１１００による移乗のための患者１３０４の上体１３１０の制御を助長するようになっている。ハンドル１１０は、一例として、例えば、胴部支持体１０４の曲菅と一体になっており、および／または単一体をなしている。他の例では、ハンドル１１０は、例えば、胴部支持体１０４の曲菅に固定された部品として、別体になっている。介護者１１００によって掴まれることになるハンドル１１０は、その形状および材料に関して、選択枝を有することができる。
【００１１】
胴部支持体１０４は、一例として、鋼および／またはアルミニウムから構成されている。胴部支持体１０４は、一例として、鋼またはアルミニウムの曲菅から構成されている。胴部支持体１０４は、一例として、半インチから１インチの間（０．５〜１インチ）、すなわち、１ｃｍから３ｃｍの間（１〜３ｃｍ）の外径を有している。胴部支持体１０４は、一例として、移乗中に患者１３０４の快適さを助長するようになっている軟質パッド１１２を備えている。軟質パッド１１２は、一例として、成形されたポリウレタンフォームから構成されている。軟質パッド１１２は、一例として、患者１３０４ごとに異なるレベルの快適さをもたらすために変更することができる密度を有している。胴部支持体１０４は、一例として、背部支持体ラッチ１１４を備えている。背部支持体ラッチ１１４は、背部支持体１１６を胴部支持体１０４に取外し可能に接続することを可能とするものである。図１０〜図１３を参照すると、胴部支持体１０４は、一例として、患者１３０４の前部１３０８に配置可能になっており、背部支持体１１６は、一例として、患者１３０４の背部１３１２において患者１３０４の後方に配置可能になっている。背部支持体ラッチ１１４は、一例として、成形された複合材部品の組立体から構成されている。背部支持体ラッチ１１４は、一例として、固定可能なラッチから構成されている。
【００１２】
コネクタ１０６は、シート１０２および／または胴部支持体１０４に連結されている。コネクタ１０６は、一例として、鋼、例えば、ステンレス鋼および／またはステンレス形鋼から構成されている。コネクタ１０６のステンレス鋼は、一例として、耐食性をもたらすようになっている。コネクタ１０６のステンレス鋼は、一例として、追加的な被覆の必要性および／またはこのような追加的な被膜の経時的に生じる摩耗および／または擦過傷に関する問題を少なくし、回避し、および／またはなくすのに役立つことになる。さらに他の例では、１つまたは複数の追加的な部品（図示せず）、例えば、追加的なプラスチック部品が、例えば、当業者に理解されるように、コネクタ１０６の例において生じることがある１つまたは複数のエッジを覆うために、コネクタ１０６に連結、取付け、および／または固定されていてもよい。
【００１３】
図１１、図１２および図１３を参照すると、コネクタ１０６は、付属品１３０２に取外し可能に接続されるようになっている。付属品１３０２は、一例として、負荷支持面１３０６に対して患者１３０４の体重を少なくとも部分的に支持するようになっている。付属品１３０２は、一例として、本明細書において述べるように、１つまたは複数のキャリッジ（図１３）、膝パッド（図７）、ベッドサイド取付け具（図８）、揺動支持体（図９）、および／または傾動車（図１５）を構成している。負荷支持面１３０６は、一例として、車椅子、椅子、シート、ベッド、移動式洗面台、床、地面、出っ張り、敷居、縁、ベンチ、水平面、介護者１１００の膝、および／または長椅子の１つまたは複数を含んでいる。負荷支持面１３０６は、一例として、付属品１３０２を直接的に支持し、他の負荷支持面１３０６からのさらなる支持を受けるようになっている。例えば、当業者に理解されるように、介護者１１００の膝が付属品１３０２としての膝パッド（図７）を支持するようになっており、他の負荷支持面１３０６としての床が介護者１１００の膝および他の部分を支持するようになっている。
【００１４】
患者１３０４の前部１３０８を胴部支持体１０４と付属品１３０２に連結されたコネクタ１０６との方に向けて、患者１３０４をシート１０２上に配置させることによって、例えば、第１の負荷支持面１３０６上の開始箇所から、例えば、第２の負荷支持面１３０６上の目標箇所への介護者１１００による移乗のためにまたは該移乗の最中に、介護者１１００による患者１３０４の上体１３１０の制御が可能になる。図１１および図１２を参照すると、シート１０２および胴部支持体１０４は、一例として、移乗を目的とする介護者１１００による患者１３０４の上体１３１０の制御のために、患者１３０４と連係するようになっている。
【００１５】
図２を参照すると、シート１０２は、一例として、ローラ２００を備えている。ローラ２００は、例えば、剛性芯１０８に支持、連結、および／または接続されている。ローラ２００は、一例として、ブッシュ２０２、例えば、複合ブッシュを備えている。ローラ２００は、一例として、シャフト２０４、例えば、共通シャフトの周りに転がるようになっている。図１０を参照すると、ローラ２００は、一例として、患者１３０４の片脚または両脚の下へのシート１０２の挿入性を助長するようになっている。
【００１６】
図３を参照すると、シート１０２は、一例として、シート１０２の周辺部分を取り囲む縁部３００、例えば、比較的軟質の縁部を備えている。縁部３００は、一例として、例えば、患者１３０４（図１０）の片脚または両脚がシート１０２によって支持されるときに比較的順応性を発揮するようになっている。縁部３００は、一例として、成形されたウレタン材料から構成されている。縁部３００は、一例として、ショアＡスケールで２０から４０（２０〜４０）の硬度を備えている。縁部３００は、一例として、患者１３０４の片脚または両脚の下に皮膚が挟まれる危険性の低減および／または回避を助長するのに役立つものである。縁部３００は、一例として、患者１３０４が受ける苦痛の低減および／または回避を助長するのに役立つものである。
【００１７】
図４を参照すると、シートは、一例として、カバー４００を備えている。カバー４００は、一例として、再使用可能および／または廃棄可能になっている。カバー４００は、一例として、例えば、介護者１１００による移乗を目的として患者１３０４をシート１０２に係合させるために患者１３０４と連係させるときの摩擦を低減させるものである。カバー４００は、一例として、例えば、シート１０２を保護することによって、洗浄時間の低減を助長するのに役立つことになる。カバー４００は、一例として、ポリエチレン材料から構成されている。カバー４００は、一例として、比較的容易に成形可能であり、熱などによってそれ自体が接合可能になっている。
【００１８】
図５を参照すると、胴部支持体１０４は、例えば、留め具５００を用いることによって、取外し可能に接続されるようになっている。留め具５００は、一例として、当業者に理解されるように、胴部支持体１０４およびシート１０２のそれぞれの位置合わせされた孔に挿入可能になっている。シート１０２および胴部支持体１０４は、一例として、例えば、複数の利用可能なシート構成の内からシート１０２の取換または互換を行うために、取外し可能な取付け関係にある。
【００１９】
図６、図１３および図１６を参照すると、シート１０２、胴部支持体１０４、コネクタ１０６、およびキャリッジのような付属品１３０２は、負荷支持面１３０６としての床に沿って患者１３０４の体重を支持するように、介護者１１００によって使用可能である。付属品１３０２は、一例として、複数のキャスタ６０２を備えている。これらのキャスタ６０２によって、介護者１１００（図１１）は、負荷支持面１３０６としての床に沿って複数の利用可能な方向の内の任意の選択方向および／または所望の方向に、患者１３０４（図１０）を移動させることができる。
【００２０】
コネクタ１０６は、一例として、鋼ピン１６０２および支持アーム１６０４を備えている。支持アーム１６０４は、例えば、コネクタ６０４に跨って剛性接続をもたらすようになっている。コネクタ６０４は、一例として、コネクタハウジング１６０８を備えている。コネクタハウジング１６０８は、一例として、ステンレス型鋼から構成されている。コネクタハウジング１６０８のステンレス鋼は、一例として、追加的な被覆の必要性および／またはこのような追加的な被膜の経時に生じる摩耗および／または擦過傷に関する問題を少なくし、回避し、および／またはなくすのに役立つことになる。
【００２１】
コネクタハウジング１６０８は、一例として、複数の垂直方向において互いに離間した孔１６０６を備えている。これらの孔１６０６は、例えば、コネクタ１０６の鋼ピン１６０２と嵌合し、および／または該鋼ピン１６０２を受け入れるようになっている。垂直方向において互いに離間した孔１６０６は、一例として、例えば、鋼ピン１６０２を保持するために、ロック１６１０を備えている。ロック１６１０は、一例として、ガイドブッシュ１６１２およびロックボタン１６１４を備えている。ガイドブッシュ１６１２は、一例として、運動を拘束するようになっている。ロックボタン１６１４は、一例として、コネクタ１０６，６０４を選択的に離脱させるために、介護者１１００にとってのインターフェイスとして機能している。
【００２２】
コネクタ１０６は、一例として、第１のコネクタを構成しており、コネクタ６０４は、一例として、第２のコネクタを構成している。コネクタ６０４は、一例として、可変高さにおいてコネクタ１０６と嵌合するようになっている。傾動支持体６０８は、一例として、アルミニウム管または鋼管から構成されている。傾動支持体６０８は、一例として、旋回点６１０において傾動し、例えば、負荷支持面１３０６（図１１）上の開始箇所における元の着座位置から患者１３０４を移動させるように、使用可能であり、その結果、患者１３０４は、付属品１３０２としてのキャリッジによって、十分におよび／またはしっかりと支持されることになる。付属品１３０２としてのキャリッジは、一例として、溶接されたアルミニウムまたは鋼の管構造を備えている。付属品１３０２としてのキャリッジは、一例として、椅子の周囲に、具体的には、負荷支持面１３０６としての着座位置の底から比較的小さい隙間、例えば、５インチ、すなわち、１３ｃｍの隙間を隔てた箇所の周囲にぴったりと嵌合するようになっている。プラットフォーム６０６は、患者１３０４の片脚または両脚を支持して患者の脚が引きずられるのを阻止および／または回避するのに役立つものである。
【００２３】
図７を参照すると、膝パッドのような付属品１３０２が、介護者１１００によって使用可能になっている。付属品１３０２としての膝パッドによれば、一例として、介護者１１００（図１１）は、その膝を用いて、患者１３０４の移乗を補助することが可能になっている。付属品１３０２としての膝パッドは、一例として、パッド７０２を備えている。パッド７０２は、一例として、介護者１１００の膝の周りにぴったりと適合するようになっている。パッド７０２は、一例として、成形された発泡材料から構成されている。パッド７０２は、一例として、介護者１１００の快適さを助長するようになっている。コネクタ７０４は、一例として、可変高さでコネクタ１０６と嵌合するようになっている。コネクタ１０６は、一例として、第１のコネクタを構成しており、コネクタ７０４は、第２のコネクタを構成している。
【００２４】
図８を参照すると、ベッドサイド取付け具のような付属品１３０２は、患者１３０４（図１１）が負荷支持面１３０６としてのベッドの縁の着座位置に維持されることが可能となるように、介護者１１００によって使用可能である。付属品１３０２としてのベッドサイド取付け具は、一例として、可変高さでコネクタ１０６に嵌合するようになっているコネクタ８０２を備えている。コネクタ１０６は、一例として、第１のコネクタを構成しており、コネクタ８０２は、一例として、第２のコネクタを構成している。付属品１３０２としてのベッドサイド取付け具は、一例として、中間支持体８０４を備えている。中間支持体８０４は、例えば、患者１３０４を着座位置に維持するために床上に設置された基部８０６まで延在している。中間支持体８０４は、一例として、アルミニウム管または鋼管から構成されている。付属品１３０２としてのベッドサイド取付け具は、一例として、留め具８０８を備えている。留め具８０８は、一例として、鋼製曲げフックおよび／またはナイロンストラップから構成されている。留め具８０８は、一例として、例えば、患者１３０４を垂直方向の着座位置に維持するための付加的な安全性をもたらすべく、典型的なベッドフレームに接続されるようになっている。垂直方向の着座位置における患者１３０４の維持は、一例として、患者１３０４の床擦れが進行する危険性および／または患者１３０４に床擦れが生じる危険性の低減を助長するのに役立つことになる。
【００２５】
図９を参照すると、揺動支持体のような付属品１３０２は、一例として、可変高さでコネクタ１０６に嵌合するようになっているコネクタ９０２を備えている。コネクタ１０６は、一例として、第１のコネクタを構成しており、コネクタ９０２は、一例として、第２のコネクタを構成している。中間支持体９０４が、一例として、コネクタ９０２から揺動基部９０６に延在している。中間支持体９０４は、一例として、アルミニウム管またはエポキシ素地に充填された繊維から構成されている。揺動基部９０６は、一例として、鋳造アルミニウム、または成形された複合材料、例えば、ガラス充填物を含むナイロンから構成されている。揺動基部９０６は、一例として、中間支持体９０４に接続されており、負荷支持面１３０６としての床上の患者１３０４（図１０）の重量を少なくとも部分的に支持するようになっている。
【００２６】
揺動基部９０６は、一例として、湾曲面９１０を備えている。湾曲面９１０は、患者１３０４の移乗中に、負荷支持面１３０６としての床上で揺動するようになっている。湾曲面９１０は、一例として、揺動基部９０６の回転ディスク端９０８に繋がっている。回転ディスク端９０８は、一例として、移乗中の回転労力を低減させるための低摩擦軸受を備えている。揺動基部９０６の脚ペダル端９１２は、介護者１１００（図１１）が、揺動基部９０６を踏み込み、これによって、介護者自身の体重を用いて、患者１３０４の体重を逆方向に支えることを可能とするものである。揺動基部９０６は、一例として、上側湾曲面９１４を備えている。上側湾曲面９１４は、例えば、移乗中に患者の脚が床上に引きずられるのを阻止および／または回避するために、患者１３０４の脚が揺動基部９０６上に乗ることを可能とするものである。
【００２７】
図１０を参照すると、シート１０２、胴部支持体１０４、およびコネクタ１０６は、介護者１１００が患者１３０４の上体１３１０を制御するために、患者１３０４にぴったりと装着されている。シート１０２は、患者１３０４の脚間にぴったりと装着されており、介護者１１００による移乗中に、脚の下で患者１３０４の体重を部分的に支持することになる。胴部支持体１０４に接続された軟質パッド１１２は、一例として、患者１３０４の前部１３０８に接触し、移乗中に、患者１３０４の体重を部分的に支持することになる。背部支持体１１６は、患者１３０４の背部１３１２に接触している。シート１０２および胴部支持体は、一例として、患者１３０４が横臥位または座位にある間に、患者１３０４に装着されるようになっている。シート１０２および胴部支持体は、一例として、１つまたは複数の利用可能な付属品１３０２の内の任意に選択された付属品１３０２を用いた場合に、患者１３０４に接触して支持するようになっている。
【００２８】
図１１を参照すると、シート１０２および胴部支持体は、一例として、例えば、負荷支持体面１３０６上の開始箇所における患者１３０４にぴったりと装着されており、該患者１３０４に介護者１１００が接近している。患者１３０４の質量中心１１０２は、一例として、負荷支持面１３０６上の初期の質量中心高さ１１０４にある。コネクタ９０２が、一例として、コネクタ１０６に嵌合している。患者１３０４の脚は、一例として、揺動基部９０６の上側湾曲面９１４上に乗せられている。
【００２９】
移乗を開始するにあたって、介護者１１００は、一例として、胴部支持体１０４の１つまたは複数のハンドル１１０を掴み、引っ張るようになっている。他の例では、移乗を開始するにあたって、介護者１１００は、胴部支持体１０４の１つまたは複数のハンドル１１０を掴み、引っ張り、それと共に、並行して、および／または同時に、例えば、任意選択的に揺動基部９０６の脚ペダル端９１２を踏み込むようになっている。介護者１１００は、一例として、患者１３０４の移乗中に実質的に真っ直ぐな姿勢を保つことができ、これによって、例えば、介護者１１００の下位脊椎領域へのストレスが軽減されることになる。
【００３０】
図１２を参照すると、患者１３０４は、一例として、揺動基部９０６の回転ディスク端９０８上に位置付けされている。患者１３０４は、一例として、揺動基部９０６の湾曲面９１０上で揺動することによって、負荷支持面１３０６から離れる方に移されることになる。患者１３０４の質量中心１１０２は、一例として、新しい質量中心高さ１２０６にある。質量中心高さ１１０４（図１１）と新しい質量中心高さ１２０６との間の高さの差は、一例として、例えば、患者１３０４の移乗中に介護者１１００が加える必要のある労力の軽減を助長するために、実質的に同じに保たれるようになっている。
【００３１】
揺動基部９０６の回転ディスク端９０８によって、一例として、介護者１１００は、例えば、開始箇所の方向１２０２から目標箇所の方向１２０４に患者の方位を変更するために、患者１３０４を回転軸１２００を中心として回転させることが可能となっている。目標箇所は、一例として、半径方向移乗距離１２０８内に位置している。半径方向移乗距離１２０８は、一例として、１０インチから１８インチの間（１０〜１８インチ）、すなわち、２５ｃｍから４５ｃｍの間（２５〜４５ｃｍ）にある。半径方向移乗距離１２０８は、一例として、目標箇所に対して患者１３０４の良好な芯出しを可能とし、および／または助長するのに役立つことになる。患者１３０４を目標箇所に正確に置くことは、一例として、介護者１１００が、目標箇所の方向１２０４において、揺動基部９０６の湾曲面９１０を逆に揺動操作することによって、達成されることになる。
【００３２】
図１３を参照すると、シート１０２および胴部支持体１０４は、介護者１１００によって、患者１３０４にぴったりと装着されている。患者１３０４は、一例として、介護者１１００によって、例えば、負荷支持面１３０６上の開始箇所から移動されている。患者１３０４は、一例として、（例えば、付属品１３０２としてのキャリッジを介する間接的な負荷支持面としての）床に沿って患者１３０４を移乗されるための移送位置を占めている。患者１３０４の両脚は、一例として、介護者１１００によって、プラットフォーム６０６（図６）上に乗っている。患者１３０４は、一例として、旋回点６１０（図６）を中心として傾動することによって、負荷支持面１３０６から離れる方に移されることになる。付属品１３０２としてのキャリッジは、一例として、患者１３０４を移送位置上に保持するようになっている。
【００３３】
図１４を参照すると、胴部支持体１０４は、一例として、構造用発泡材料から構成されている。胴部支持体１０４は、一例として、構造用発泡材成形プロセスを用いることによって、作製されている。構造用発泡材料からなる胴部支持体１０４は、一例として、インサート成形プロセスを用いることによって、シート１０２に接合可能である。軟質パッド１１２は、一例として、胸パッドを構成している。軟質パッド１１２は、一例として、軟質発泡材料から構成されており、例えば、インサート成形プロセスを用いることによって、胴部支持体１０４に接合可能である。胴部支持体１０４は、一例として、より連続的なおよび／または比較的連続的な外面を有しており、これによって、例えば、容易な滅菌、製造コストの低減、および／または潜在的な重量の低減が助長されることになる。
【００３４】
図１５を参照すると、傾動車のような付属品１３０２は、可変高さでコネクタ１０６に嵌合するようになっているコネクタ１５０２を備えている。コネクタ１０６は、一例として、第１のコネクタを構成しており、コネクタ１５０２は、一例として、第２のコネクタを構成している。傾動支持体１５０４は、一例として、旋回点１５１２においてコネクタ１５０２から車１５１０に延在している。
【００３５】
車１５１０は、一例として、例えば、患者の脚が床上で引きずられるのを阻止および／または回避するために、患者１３０４（図１０）の片脚または両脚を支持するプラットフォーム１５１６を備えている。傾動支持体１５０４は、一例として、旋回点１５１２において傾動し、患者１３０４を負荷支持面１３０６（図１１）から離れる方に移し、その結果、例えば、患者１３０４の重量は、介護者１１００による患者１３０４の移乗を行うための移送位置１５１８において、付属品１３０２としての車１５１０によって少なくとも部分的に支持されることになる。車１５１０は、一例として、レール１５０８上に乗っている。レール１５０８は、一例として、車１５１０の運動を拘束し、患者１３０４の体重を回転ディスク１５０６に移すようになっている。車１５１０は、一例として、患者１３０４の体重を少なくとも部分的に支持する複数のキャスタ６０２を備えている。
【００３６】
車１５１０は、一例として、負荷支持面１３０６まで延在可能になっている。患者１３０４が移送位置１５１８にあるとき、介護者１１００（図１１）は、一例として、患者１３０４の体重を支持するために、車１５１０をレール１５０８に沿って回転ディスク１５０６上に移動させることができる。回転ディスク１５０６は、一例として、低摩擦軸受を備えている。この低摩擦軸受によって、介護者１１００は、例えば、患者１３０４の方位を開始箇所の方向１２０２から目標箇所の方向１２０４に変更するために、比較的低い労力で、患者１３０４を回転軸１５１４を中心として回転させることができる。
【００３７】
目標箇所は、一例として、車１５１０の半径方向移乗距離１５２０内に位置している。半径方向移乗距離１５２０は、一例として、略１０から１８インチの間（１０〜１８インチ）、すなわち、２５から４５ｃｍの間（２５〜４５ｃｍ）の範囲内にある。半径方向移乗距離１５２０は、一例として、目標箇所に対する患者１３０４の良好な芯出しを可能とし、および／または助長するのに役立つことになる。患者１３０４を目標箇所に正確に置くことは、一例として、介護者１１００が、目標箇所の方向１２０４において、患者を旋回点１５１２を中心として逆に傾動操作することによって、達成されることになる。
【００３８】
以下、説明を目的として、装置１００の実施形態の例示的な操作について、具体的に述べることにする。図１７を参照すると、例示的な流れ１７００におけるステップ１７０２において、介護者１１００は、患者１３０４が横になっているかまたは起き上がっている間に、シート１０２および胴部支持体１０４を患者１３０４に連結する。シート１０２および胴部支持体１０４は、胴部の周りおよび脚の下において患者１３０４を支持することになる。胴部支持体１０４は、患者１３０４の近くにハンドル１１０をもたらしている。ステップ１７０４において、介護者１１００は、シート１０２および胴部支持体１０４と共に付属品１３０２を用いる。付属品１３０２をシート１０２および胴部支持体１０４と共に用いて、患者１３０４の体重を実質的に支持する。付属品１３０２をシート１０２および胴部支持体１３０４と共に用いることによって、介護者１１００による患者１３０４の上体１３１０の制御が可能になる。
【００３９】
ステップ１７０６において、介護者１１００は、患者１３０４を負荷支持面１３０６上の開始箇所における着座位置から移送位置に移動させる。介護者１１００は、ハンドル１１０を用いて、移送位置にある患者１３０４の方向を手動で変更する。ステップ１７０８において、介護者１１００は、患者１３０４を移送位置から目標箇所における着座位置に移動させる。介護者１１００は、ハンドル１１０を用いて、患者１３０４を移送位置から目標箇所における着座位置に手動で移動させる。ステップ１７１０において、介護者１１００は、付属品１３０２をシート１０２および胴部支持体１０４から取り外す。付属品１３０２の取外しは、介護者１１００がロックボタン１６１４を押すことによって、達成されることになる。ステップ１７１２において、介護者１１００は、シート１０２および胴部支持体１０４を患者１３０４から離脱させる。
【００４０】
装置１００の一実施形態は、複数の構成部品、例えば、１つまたは複数の機械的構成部品および／またはハードウエア構成部品を含んでいる。多数のこのような部品は、装置１００の一実施形態では、互いに組み合わされてもよいし、または互いに分割されてもよい。１つまたは複数の例示的な実施形態では、１つまたは複数の構成部品および／またはその１つまたは複数の部分と関連して本明細書に記載されている１つまたは複数の特徴は、装置１００の特定の構成部品および／または他の構成部品の１つまたは複数の具体例に同様に適用および／または拡張されてもよい。１つまたは複数の例示的実施形態では、１つまたは複数の構成部品および／またはその１つまたは複数の部分に関連して本明細書に記載されている１つまたは複数の特徴は、装置１００の特定の構成部品および／または他の構成部品の１つまたは複数の具体例から省略されてもよいし、または修正されてもよい。装置１００の実施形態は、どのような方位（例えば、水平方位、傾斜方位、角度の付いた方位、または垂直方位）も含むものであり、本明細書における説明および図面は、説明を目的として、装置１００の例示的な実施形態の例示的な方位を示しているにすぎない。
【００４１】
本明細書に記載されているステップまたは操作は、例示的なものである。これらのステップまたは操作の変更は、本発明の精神から逸脱することなく、可能である。例えば、これらのステップは、異なる順序で行われてもよいし、またはステップが追加、削除、または修正されてもよい。
【００４２】
本明細書において、本発明の例示的な実施形態を図示し、かつ説明してきたが、当業者にとって、種々の修正、追加、置換、などが、本発明の精神から逸脱することなくなされてもよく、従って、これらの修正、追加、置換、などは、以下の特許請求の範囲に記載されている本発明の範囲内にあるとみなされることは、明らかだろう。
【図１】
0005572162.tif 000002
【図２】
0005572162.tif 000003
【図３】
0005572162.tif 000004
【図４】
0005572162.tif 000005
【図５】
0005572162.tif 000006
【図６】
0005572162.tif 000007
【図７】
0005572162.tif 000008
【図８】
0005572162.tif 000009
【図９】
0005572162.tif 000010
【図１０】
0005572162.tif 000011
【図１１】
0005572162.tif 000012
【図１２】
0005572162.tif 000013
【図１３】
0005572162.tif 000014
【図１４】
0005572162.tif 000015
【図１５】
0005572162.tif 000016
【図１６】
0005572162.tif 000017
【図１７】
0005572162.tif 000018